(57)【要約】【課題】情報の到達性を高めるとともにユーザの利便性の向上を図ること。【解決手段】他の携帯電話端末に電子メールが送信された結果、当該電子メールのメールアドレスが存在しないことにより、電子メールの不達に関する電子メールを受信した場合、ショートメッセージサービスを利用することにより、メールアドレスと関連付けられた電話番号を宛先とするショートメッセージを他の携帯電話端末に送信する。このように２系統の通信方式を状況に応じて利用することにより、情報の到達性を高める。【選択図】図１
2008153968.tif 000002
【特許請求の範囲】
【請求項１】
携帯電話端末から他の携帯電話端末に電子メールが送信された結果、当該電子メールのメールアドレスが存在しないことにより、前記電子メールの不達に関する電子メールを受信させる受信工程と、
前記受信工程によって前記不達に関する電子メールが受信された場合、前記メールアドレスと関連付けられた電話番号を、メールアドレスと電話番号とを関連付けて記録するアドレスデータ群の中から抽出させる抽出工程と、
ショートメッセージサービスにより、前記抽出工程によって抽出された電話番号を宛先とするショートメッセージを前記他の携帯電話端末に送信させる送信工程と、
をコンピュータに実行させることを特徴とするアドレス管理プログラム。
【請求項２】
前記送信工程は、
前記他の携帯電話端末の現行のメールアドレスの送信要求を示すショートメッセージを送信させることを特徴とする請求項１に記載のアドレス管理プログラム。
【請求項３】
前記不達となった電子メールのメールアドレスを前記アドレスデータ群の中から削除させる削除工程を前記コンピュータに実行させることを特徴とする請求項２に記載のアドレス管理プログラム。
【請求項４】
前記送信工程によって前記ショートメッセージが送信された結果、前記ショートメッセージサービスにより、前記他の携帯電話端末からショートメッセージを受信させるショートメッセージ受信工程と、
前記ショートメッセージ受信工程によって受信されたショートメッセージの送信元の電話番号を前記アドレスデータ群の中から検出させる検出工程と、
前記検出工程によって検出された電話番号と、前記他の携帯電話端末からのショートメッセージに記述されているメールアドレスとを関連付けさせる関連付け工程と、
を前記コンピュータに実行させることを特徴とする請求項１〜３のいずれか一つに記載のアドレス管理プログラム。
【請求項５】
請求項１〜４のいずれか一つに記載のアドレス管理プログラムを記録した前記コンピュータに読み取り可能な記録媒体。
【請求項６】
携帯電話端末から他の携帯電話端末に電子メールが送信された結果、当該電子メールのメールアドレスが存在しないことにより、前記電子メールの不達に関する電子メールを受信する受信工程と、
前記受信工程によって前記不達に関する電子メールが受信された場合、前記メールアドレスと関連付けられた電話番号を、メールアドレスと電話番号とを関連付けて記録するアドレスデータ群の中から抽出する抽出工程と、
ショートメッセージサービスにより、前記抽出工程によって抽出された電話番号を宛先とするショートメッセージを前記他の携帯電話端末に送信する送信工程と、
を含んだことを特徴とするアドレス管理方法。
【請求項７】
他の携帯電話端末に電子メールが送信された結果、当該電子メールのメールアドレスが存在しないことにより、前記電子メールの不達に関する電子メールを受信する受信手段と、
前記受信手段によって前記不達に関する電子メールが受信された場合、前記メールアドレスと関連付けられた電話番号を、メールアドレスと電話番号とを関連付けて記録するアドレスデータ群の中から抽出する抽出手段と、
ショートメッセージサービスにより、前記抽出手段によって抽出された電話番号を宛先とするショートメッセージを前記他の携帯電話端末に送信する送信手段と、
を備えることを特徴とする携帯電話端末。
【発明の詳細な説明】
【技術分野】
【０００１】
この発明は、ショートメッセージサービスを利用することにより、電話番号を宛先としたショートメッセージの送受信をおこなうアドレス管理プログラム、該プログラムを記録した記録媒体、アドレス管理方法および携帯電話端末に関する。
【背景技術】
【０００２】
現在、携帯電話端末の事業者（キャリア）を変更しても、現行の電話番号を引き続き使用することができる、いわゆる、ナンバーポータビリティ制度が導入されている。このナンバーポータビリティ制度の導入にともなって、キャリア間のユーザの流動性が高まることが予想される。
【０００３】
しかし、ナンバーポータビリティ制度を利用して携帯電話端末のキャリアを変更した場合、電話番号は現行の番号が引き継がれることとなるが、メールアドレスの引き継ぎはおこなわれない。このため、キャリア変更時には、携帯電話端末のアドレス帳に登録されている知人ひとりひとりに新しいメールアドレスを知らせる必要があり、ユーザにとって非常に面倒な作業となっていた。
【０００４】
また、ユーザの同意なく一方的に送信されてくる迷惑メール対策のためにメールアドレスを変更した場合にも上記同様に面倒な作業が必要となっていた。そのため、キャリアの変更やメールアドレスの変更をためらうユーザも多かった。
【０００５】
そこで、メールアドレス変更時におけるユーザの作業労力を軽減させるために、たとえば、メールアドレスの変更通知などの電子メールを複数の相手先に一括して送信可能とする携帯電話端末が提供されている（たとえば、下記特許文献１参照。）。
【０００６】
【特許文献１】特開２００３−０５２０７１号公報
【発明の開示】
【発明が解決しようとする課題】
【０００７】
しかしながら、上述した特許文献１の従来技術では、相手先のメールアドレスが変更された場合、変更前のメールアドレスを宛先とした電子メールは、相手先に届くことなく送信エラーとなってしまう。
【０００８】
このような場合、送信エラーとなった相手に情報を伝えるために、電話をかける、または、直接会って話すなどの煩わしい作業が必要となり、依然としてユーザにかかる負担が大きいという問題があった。
【０００９】
さらに、送信エラーとなった相手に電話をかけたときに、通話中であったり、圏外であった場合などには、時間をおいて再度電話をかける必要がある。このため、情報の伝達が遅れるだけでなく、再度電話をかけることを忘れてしまい、情報の伝達漏れが発生するなどの問題があった。
【００１０】
また、送信エラーとなった相手先が多数であった場合には、すべての相手に漏らすことなく情報を伝えることは困難であり、伝達漏れが発生してしまう可能性が高いという問題があった。
【００１１】
この発明は、上述した従来技術による問題点を解消するため、情報の到達性を高めることにより情報の伝達漏れを低減することができるとともにユーザの利便性の向上を図ることができるアドレス管理プログラム、該プログラムを記録した記録媒体、アドレス管理方法および携帯電話端末を提供することを目的とする。
【課題を解決するための手段】
【００１２】
上述した課題を解決し、目的を達成するため、この発明にかかるアドレス管理プログラム、該プログラムを記録した記録媒体、アドレス管理方法および携帯電話端末は、携帯電話端末から他の携帯電話端末に電子メールが送信された結果、当該電子メールのメールアドレスが存在しないことにより、前記電子メールの不達に関する電子メールを受信し、前記不達に関する電子メールが受信された場合、前記メールアドレスと関連付けられた電話番号を、メールアドレスと電話番号とを関連付けて記録するアドレスデータ群の中から抽出し、ショートメッセージサービスにより、抽出された電話番号を宛先とするショートメッセージを前記他の携帯電話端末に送信することを特徴とする。
【００１３】
この発明によれば、メールアドレスが存在しないことにより、電子メールが不達となった場合、ショートメッセージサービスによって電子メールの相手先にショートメッセージを自動的に送信することができる。
【００１４】
また、上記発明において、他の携帯電話端末の現行のメールアドレスの送信要求を示すショートメッセージを送信することとしてもよい。
【００１５】
この発明によれば、アドレスデータ群に記録されていない他の携帯電話端末のメールアドレスの通知要求を他の携帯電話端末のユーザに伝えることができる。
【００１６】
また、上記発明において、前記不達となった電子メールのメールアドレスを前記アドレスデータ群の中から削除することとしてもよい。
【００１７】
この発明によれば、不達となった電子メールのメールアドレスを削除することにより、以降において、存在しないメールアドレスを宛先とした無駄な電子メールの送信を防ぐことができる。
【００１８】
また、上記発明において、前記ショートメッセージが送信された結果、前記ショートメッセージサービスにより、前記他の携帯電話端末からショートメッセージを受信し、受信されたショートメッセージの送信元の電話番号を前記アドレスデータ群から検出し、検出された電話番号と、前記他の携帯電話端末からのショートメッセージに記述されているメールアドレスとを関連付けることとしてもよい。
【００１９】
この発明によれば、ショートメッセージの送信元の電話番号と、当該ショートメッセージに記述されているメールアドレスとを自動的に関連付けることができる。
【発明の効果】
【００２０】
本発明にかかるアドレス管理プログラム、該プログラムを記録した記録媒体、アドレス管理方法および携帯電話端末によれば、情報の到達性を高めることにより情報の伝達漏れを低減することができるとともにユーザの利便性の向上を図ることができるという効果を奏する。
【発明を実施するための最良の形態】
【００２１】
以下に添付図面を参照して、この発明にかかるアドレス管理プログラム、該プログラムを記録した記録媒体、アドレス管理方法および携帯電話端末の好適な実施の形態を詳細に説明する。
【００２２】
（データ通信システムの概略構成）
まず、この発明の実施の形態にかかるデータ通信システムの概略構成について説明する。図１は、この発明の実施の形態にかかるデータ通信システムの概略構成を示す説明図である。
【００２３】
図１において、データ通信システム１００は、携帯電話端末１０１と、他の携帯電話端末１０２と、電子メールサーバ１０３と、ショートメッセージサーバ１０４とが、インターネットや携帯電話網などのネットワーク１１０を介して相互に交信可能に接続されている。
【００２４】
携帯電話端末１０１，１０２は、無線通信を利用して通話可能な可搬型の電話機である。携帯電話端末１０１，１０２は、電子メールを送受信する機能を有する。また、携帯電話端末１０１，１０２は、ショートメッセージサービスにより、電話番号を宛先としたショートメッセージを送受信する機能を有する。
【００２５】
ショートメッセージサービスは、相手先の電話番号を宛先としてショートメッセージを送信することができるサービスである。携帯電話端末１０１から携帯電話端末１０２の電話番号を宛先としてショートメッセージを送信すると、このショートメッセージはショートメッセージサーバ１０４に一時的に保存され、その後、ショートメッセージサーバ１０４から携帯電話端末１０２に送信されることとなる。
【００２６】
また、携帯電話端末１０１から携帯電話端末１０２の電話番号を宛先としてショートメッセージを送信すると、ショートメッセージサーバ１０４を介すことなく、直接携帯電話端末１０２にショートメッセージが送信されることとしてもよい。
【００２７】
なお、以下においてショートメッセージサービスでは、すべてのキャリア間において規格が同一であり、任意のキャリアの携帯電話端末間におけるショートメッセージの送受信が可能とする。
【００２８】
また、携帯電話端末１０１から携帯電話端末１０２に電子メールを送信すると、この電子メールは電子メールサーバ１０３に一時的に保存され、その後、電子メールサーバ１０４から携帯電話端末１０２に送信されることとなる。
【００２９】
携帯電話端末１０１，１０２は、電話番号やメールアドレスが関連付けられて登録されているアドレス帳ＤＢ１０５を備える。ユーザは、電子メールやショートメッセージを作成する際には、アドレス帳ＤＢ１０５から相手先を選択することにより、宛先となるメールアドレスや電話番号を入力することができる。
【００３０】
また、アドレス帳ＤＢ１０５には、電話番号やメールアドレスの他に、氏名や住所などの個人情報を関連付けて登録することができる。さらに、携帯電話端末１０１，１０２は、他の通信端末との連絡状況を管理する連絡状況管理ＤＢ１０６を備える。なお、アドレス帳ＤＢ１０５および連絡状況管理ＤＢ１０６の詳細については後述する。
【００３１】
（携帯電話端末のハードウェア構成）
つぎに、図１に示した携帯電話端末１０１，１０２のハードウェア構成について説明する。携帯電話端末１０１と携帯電話端末１０２とは、同一の機能を有し、同一のハードウェア構成を備える。図２は、携帯電話端末のハードウェア構成を示すブロック図である。
【００３２】
図２において、携帯電話端末は、ＣＰＵ２０１と、ＲＯＭ２０２と、ＲＡＭ２０３と、ＨＤＤ（ハードディスクドライブ）２０４と、ＨＤ（ハードディスク）２０５と、ＦＤＤ（フレキシブルディスクドライブ）２０６と、着脱可能な記録媒体の一例としてのＦＤ（フレキシブルディスク）２０７と、ディスプレイ２０８と、通信Ｉ／Ｆ（インターフェース）２０９と、操作パネル２１０と、音声Ｉ／Ｆ２１１と、を備えている。また、各構成部はバス２００によってそれぞれ接続されている。
【００３３】
ここで、ＣＰＵ２０１は、携帯電話端末の全体の制御を司る。ＲＯＭ２０２は、ブートプログラムなどのプログラムを記憶している。ＲＡＭ２０３は、ＣＰＵ２０１のワークエリアとして使用される。ＨＤＤ２０４は、ＣＰＵ２０１の制御にしたがってＨＤ２０５に対するデータのリード／ライトを制御する。ＨＤ２０５は、ＨＤＤ２０４の制御で書き込まれたデータを記憶する。
【００３４】
ＦＤＤ２０６は、ＣＰＵ２０１の制御にしたがってＦＤ２０７に対するデータのリード／ライトを制御する。ＦＤ２０７は、ＦＤＤ２０６の制御で書き込まれたデータを記憶したり、ＦＤ２０７に記憶されたデータを携帯電話端末に読み取らせたりする。
【００３５】
また、着脱可能な記録媒体として、ＦＤ２０７のほか、ＳＤメモリカードやメモリースティックなどのメモリカードなどであってもよい。ディスプレイ２０８は、カーソル、アイコンあるいはツールボックスをはじめ、文書、画像、機能情報などのデータを表示する。このディスプレイ２０８は、たとえば、ＣＲＴ、ＴＦＴ液晶ディスプレイ、プラズマディスプレイなどを採用することができる。
【００３６】
通信Ｉ／Ｆ２０９は、通信回線を通じて携帯電話網やインターネットなどのネットワーク１１０に接続され、このネットワーク１１０を介して他の装置に接続される。そして、通信Ｉ／Ｆ２０９は、ネットワーク１１０と内部のインターフェースを司り、外部装置からのデータの入出力を制御する。通信Ｉ／Ｆ２０９には、たとえばモデムやＬＡＮアダプタなどを採用することができる。
【００３７】
操作パネル２１０は、文字、数字、各種指示などの入力のためのキーを備え、データの入力をおこなう。また、タッチパネル式の入力パッドやテンキーなどであってもよい。
【００３８】
音声Ｉ／Ｆ２１１は、音声入力用のマイクおよび音声出力用のスピーカに接続される。マイクに受音された音声は、音声Ｉ／Ｆ２１１内でＡ／Ｄ変換される。また、スピーカからは音声が出力される。
【００３９】
（アドレス帳ＤＢ１０５のデータ構造）
ここで、図１に示したアドレス帳ＤＢ１０５のデータ構造について説明する。図３は、アドレス帳ＤＢ１０５のデータ構造の一例を示す説明図である。図３において、アドレス帳ＤＢ１０５には、連絡先ごとに電話番号、メールアドレスおよび氏名からなるアドレス情報が記憶されている。
【００４０】
管理ＩＤは、携帯電話端末１０１，１０２により、連絡先ごとのアドレス情報（以下、「レコード」という）を管理するＩＤである。電話番号は、各携帯電話端末１０１，１０２ごとに固有に設定されている番号であり、ショートメッセージの宛先となる。また、メールアドレスは、各携帯電話端末１０１，１０２ごとに固有に設定されている数字や記号を含む文字列であり、電子メールの宛先となる。氏名は、連絡先の個人名であったり、会社名および施設の名称などである。
【００４１】
ここで、管理ＩＤ：００１のレコードを例に挙げると、電話番号が「０９０−１２３４−××××」であり、メールアドレスが「００１＠．ｅｚｏ．ｎｅ．ｊｐ」であり、氏名が「○×」となる。
【００４２】
（携帯電話端末の機能的構成）
つぎに、この発明の実施の形態にかかる携帯電話端末１０１，１０２の機能的構成について説明する。図４は、この発明の実施の形態にかかる携帯電話端末１０１の機能的構成を示すブロック図である。図４において、携帯電話端末１０１は、アドレス帳ＤＢ１０５と、受信部４０１と、抽出部４０２と、送信部４０３と、削除部４０４と、検出部４０５と、関連付け部４０６とを備えている。
【００４３】
これら各機能的構成４０１〜４０６は、具体的には、たとえば、図２に示したＲＯＭ２０２，ＲＡＭ２０３，ＨＤ２０５などの記録媒体に記録されているプログラムを、ＣＰＵ２０１に実行させることによって、または通信Ｉ／Ｆ２０９によって、その機能を実現する。
【００４４】
受信部４０１は、携帯電話端末１０２に電子メールが送信された結果、当該電子メールのメールアドレスが存在しないことにより、電子メールの不達に関する電子メールを受信する機能を有する。
【００４５】
不達に関する電子メールとは、宛先として設定したメールアドレスが存在しないために、携帯電話端末１０２に電子メールが送達されず、送信エラーとなった旨を示す電子メールである。なお、受信部４０１によって受信された不達に関する電子メールは、ＨＤ２０５などの記録媒体に記憶される。
【００４６】
抽出部４０２は、受信部４０１によって不達に関する電子メールが受信された場合、不達となった電子メールのメールアドレスと関連付けられた電話番号を、メールアドレスと電話番号とを関連付けて記録するアドレスデータ群の中から抽出する機能を有する。具体的には、まず、ＨＤ２０５などの記録媒体に記憶された不達に関する電子メールを読み出して、不達となった電子メールのメールアドレスをアドレス帳ＤＢ１０５の中から特定する。
【００４７】
そして、特定されたメールアドレスと関連付けられた電話番号をアドレス帳ＤＢ１０５から抽出する。なお、抽出部４０２によって抽出された電話番号はＲＯＭ２０２やＲＡＭ２０３などの記録媒体に記憶される。
【００４８】
送信部４０３は、ショートメッセージサービスにより、抽出部４０２によって抽出された電話番号を宛先とするショートメッセージを携帯電話端末１０２に送信する機能を有する。具体的には、ＲＯＭ２０２やＲＡＭ２０３などの記録媒体に記憶された電話番号を読み出して、読み出した電話番号を宛先としてショートメッセージを作成し、携帯電話端末１０２に送信する。
【００４９】
携帯電話端末１０１は、ショートメッセージサービスを利用することにより、インターネットを使用することなく電話番号を宛先としたショートメッセージを送信することができる。このため、携帯電話端末１０２のメールアドレスを知らない場合でもショートメッセージを携帯電話端末１０２に送信することができる。
【００５０】
このとき、送信されるショートメッセージは、たとえば、不達となった電子メールに基づいて作成されてもよい。より具体的には、たとえば、不達となった電子メールがメールアドレスの変更を通知する内容であった場合、少なくともその内容を含むショートメッセージを作成することとしてもよい。
【００５１】
また、携帯電話端末１０２の現行のメールアドレスの送信要求を示すショートメッセージであってもよい。これにより、アドレス帳ＤＢ１０５に記憶されていない、新しい携帯電話端末１０２のメールアドレスに関する通知要求を携帯電話端末１０２のユーザに伝えることができる。
【００５２】
削除部４０４は、不達となった電子メールのメールアドレスをアドレスデータ群の中から削除する機能を有する。具体的には、削除部４０４は、不達となった電子メールのメールアドレス、すなわち、既に存在しないメールアドレスをアドレス帳ＤＢ１０５の中から削除する。これにより、既に存在しないメールアドレスを宛先として電子メールを送信する無駄を削除することができる。
【００５３】
また、受信部４０１は、送信部４０３によってショートメッセージが送信された結果、ショートメッセージサービスにより、携帯電話端末１０２からショートメッセージを受信する機能を有する。具体的には、受信部４０１は、携帯電話端末１０２に送信されたショートメッセージの返信を、ショートメッセージサービスを利用することによって携帯電話端末１０２から受信する。
【００５４】
より具体的には、受信部４０１は、携帯電話端末１０２から当該他の携帯電話端末１０２の現行のメールアドレスを示すショートメッセージを受信する。なお、受信部４０１によって受信されたショートメッセージはＨＤ２０５などの記録媒体に記憶される。
【００５５】
検出部４０５は、受信部４０１によって受信されたショートメッセージの送信元の電話番号をアドレスデータ群の中から検出する機能を有する。具体的には、たとえば、ＨＤ２０５などの記録媒体に記憶されているショートメッセージを読み出して送信元の電話番号を検出する。
【００５６】
さらに、ショートメッセージの本文から特定の形式によって記述されている文字列をメールアドレスとして抽出する。たとえば、本文から記号「＠」を検索し、その前後の一連の文字列をメールアドレスとして抽出する。
【００５７】
このとき、検出された送信元の電話番号とアドレス帳ＤＢ１０５に登録されている電話番号とを照合することにより、送信元である携帯電話端末１０２を特定することができる。なお、検出部４０５によって検出された電話番号と本文から抽出されたメールアドレスとはＲＯＭ２０２やＲＡＭ２０３などの記録媒体に記憶される。
【００５８】
関連付け部４０６は、検出部４０５によって検出された電話番号と、携帯電話端末１０２からのショートメッセージに記述されているメールアドレスとを関連付ける機能を有する。具体的には、ＲＯＭ２０２やＲＡＭ２０３などの記録媒体に記憶されている電話番号およびメールアドレスを読み出して、それらを携帯電話端末１０２の電話番号およびメールアドレスとして関連付ける。
【００５９】
関連付け部４０６によって関連付けられた携帯電話端末１０２の電話番号およびメールアドレスは、最新のアドレス情報としてアドレス帳ＤＢ１０５に関連付けて登録することとしてもよい。このとき、ユーザに携帯電話端末１０２のアドレス情報を更新するか否かを選択させることとしてもよい。
【００６０】
具体的には、たとえば、携帯電話端末１０２のアドレス情報を更新するか否かのメッセージをディスプレイ２０８に表示し、ユーザによる選択入力を受け付けることとしてもよい。ここで、更新する旨の選択入力を受け付けた場合、携帯電話端末１０２のアドレス情報を更新する。
【００６１】
なお、受信部４０１は、送信部４０３によりショートメッセージが送信された結果、携帯電話端末１０２から電子メールを受信することとしてもよい。この場合、検出部４０５は、受信部４０１によって受信された電子メールの本文から電話番号を検出するとともに、電子メールのメールアドレスを検出する。
【００６２】
具体的には、検出部４０５は、受信された電子メールのメールアドレスを携帯電話端末１０２のメールアドレスとして検出する。さらに、電子メールの本文から特定の形式によって記述されている数字列を電話番号として検出する。たとえば、本文から数字が１１個並んだ数字列を電話番号として検出する。
【００６３】
（携帯電話端末１０１のディスプレイ２０８に表示される画面例）
つぎに、携帯電話端末１０１のディスプレイ２０８に表示される画面例について説明する。図５−１〜図５−５は、携帯電話端末１０１に表示される表示画面の一例を示す説明図である。
【００６４】
ここでは、携帯電話端末１０１のユーザがナンバーポータビリティ制度を利用することにより、携帯電話端末１０１のキャリアを変更した場合を想定する。ナンバーポータビリティ制度とは、キャリアを変更しても、現行の電話番号を引き続き使用することができるサービスである。
【００６５】
ナンバーポータビリティ制度を利用して携帯電話端末１０１のキャリアを変更した場合、電話番号は現行の番号が引き継がれることとなるが、メールアドレスの引き継ぎはおこなわれない。そこで、携帯電話端末１０１のユーザは、アドレス帳ＤＢ１０５に登録されている連絡先に新しいメールアドレスを通知する。
【００６６】
図５−１において、携帯電話端末１０１のディスプレイ２０８には作成された電子メールが表示されている。電子メールを作成するには、まず、相手先に連絡する情報を携帯電話端末１０１に入力する。具体的には、たとえば、携帯電話端末１０１の操作パネル２１０をユーザが操作することにより、メールアドレスを変更した旨のメッセージを入力する。
【００６７】
このとき、予めＨＤ２０５などのメモリに記録されているテンプレートを読み出して、連絡する情報として入力することとしてもよい。入力された情報は、連絡情報ワークファイルに設定される。連絡情報ワークファイルは、電子メール作成用のファイルであり、ＲＯＭ２０２やＲＡＭ２０３などの記録媒体に記憶される。
【００６８】
図６は、連絡情報ワークファイルの一例を示す説明図である。図６において、連絡情報ワークファイルに、メールアドレスを変更した旨を示すメッセージが設定されている。連絡するメッセージを連絡情報ワークファイルに設定することにより、電子メールを複数の相手先に送信する場合に、ひとりひとり連絡する情報を入力する必要がなく、ユーザの煩わしい作業を低減することができる。
【００６９】
図５−１の説明に戻り、つぎに、連絡情報ワークファイルの設定後、アドレス帳ＤＢ１０５を構成する複数のレコードの中から相手先のレコードを指定する。具体的には、たとえば、ユーザが操作パネル２１０を操作することにより、ディスプレイ２０８に表示された複数の連絡先のアドレス情報の中から相手先のアドレス情報を指定する。
【００７０】
また、アドレス帳ＤＢ１０５を構成するすべてのレコードを一括指定する機能を利用することにより、すべての連絡先を相手先として指定することとしてもよい。レコードの指定が終了すると、ディスプレイ２０８には図５−１に示す電子メールが表示されることとなる。
【００７１】
ここでは、管理ＩＤ：００１，００２，００３（図３参照）のレコードが指定されたため、電子メールの宛先として「００１＠．ｅｚｏ．ｎｅ．ｊｐ」と「００２＠．ｄｏｃｏ．ｎｅ．ｊｐ」と「００３＠．ｄｏｃｏ．ｎｅ．ｊｐ」とが設定されている。さらに、本文として、連絡情報ワークファイルに設定された情報が表示されている。ここでは、図６に示すメッセージが連絡情報ワークファイルに設定されている。
【００７２】
また、レコード指定が終了すると、指定されたレコードの管理ＩＤが連絡状況管理ＤＢ１０６に設定される。連絡状況管理ＤＢ１０６は、相手先との連絡状況を管理するデータベースである。なお、連絡状況管理ＤＢ１０６の詳細については後述する。
【００７３】
電子メールの作成が終了すると、つぎに、携帯電話端末１０１からレコード指定した相手先に電子メールを送信する。具体的には、たとえば、携帯電話端末１０１の操作パネル２１０に設けられている送信キーをユーザが押下することにより、携帯電話端末１０１から相手先に電子メールが送信される。
【００７４】
電子メールが送信された結果、宛先として設定されたメールアドレスが存在しない場合には、携帯電話端末１０１は、送信された電子メールの不達に関する不達通知を電子メールサーバ１０３（図１参照）から受信することとなる。
【００７５】
図５−２において、携帯電話端末１０１のディスプレイ２０８には送信エラーとして受信された不達通知が表示されている。この不達通知は、相手先の携帯電話端末１０２のメールアドレスが存在しないことにより、電子メールが相手先の携帯電話端末１０２に送信されなかったこと示す電子メールである。
【００７６】
たとえば、相手先のユーザがナンバーポータビリティ制度を利用してキャリアを変更したり、迷惑メール対策としてメールアドレスを変更したために、相手先のメールアドレスが変更されている。なお、相手先のユーザが携帯電話端末１０２の契約を解除した場合にも、相手先のメールアドレスが存在しないこととなるが、ここではそれを含まない。
【００７７】
ここでは、管理ＩＤ：００２（図３参照）の相手先のメールアドレスが存在しないことにより、電子メールが不達となったことを示している。すなわち、管理ＩＤ：００２のユーザがメールアドレスを変更したため、電子メールの宛先として設定された「００２＠ｄｏｃｏ．ｎｅ．ｊｐ」が存在しないこととなっている。
【００７８】
不達通知を受信すると、連絡状況管理ＤＢ１０６に設定されている管理ＩＤの連絡状況が更新される。図７は、連絡状況管理ＤＢ１０６のデータ構造の一例を示す説明図である。図７において、連絡状況管理ＤＢ１０６には、設定されている管理ＩＤごとに電子メールおよびショートメッセージの連絡状況が記憶されている。
【００７９】
電子メールを送信した結果、相手先のメールアドレスが存在することにより、電子メールが送達された場合には、電子メールの連絡状況を示す欄に「連絡済み」と設定される。また、相手先のメールアドレスが存在しないことにより、電子メールが不達となった場合には、電子メールの連絡状況を示す項目に「不達」と設定される。
【００８０】
電子メールが不達となった後、ショートメッセージが送信された場合には（詳細は後述する）、ショートメッセージの連絡状況を示す欄に「連絡済み」と設定される。また、ショートメッセージが送信された後、そのショートメッセージに対する返信があった場合には、ショートメッセージの連絡状況を示す欄に「返信有」と設定される。一方、返信がないものについては「返信未」と設定される。
【００８１】
ここで、管理ＩＤ：００２については、電子メールを送信した結果、不達通知を受信したため、電子メールの連絡状況を示す欄に「不達」と設定されている。また、不達通知を受信した結果、ショートメッセージが送信されたため、ショートメッセージの連絡状況を示す欄に「連絡済み」と設定されている。このとき、管理ＩＤ：００２の相手先から返信がないため、ショートメッセージの連絡状況を示す欄にさらに「（返信未）」と設定されている。
【００８２】
つぎに、携帯電話端末１０１は、受信した不達通知から送信エラーとなった相手先を特定する。具体的には、たとえば、携帯電話端末１０１は、受信した電子メールが不達通知か否かを判断し、不達通知であった場合には、不達となった電子メールの内容が連絡情報ワークファイルの内容と一致するか否かを判断する。
【００８３】
一致する場合には、メールアドレスを変更した旨を示すメッセージが相手先に通知されていないこととなるため、つぎに、ショートメッセージによる通知をおこなう。このように、連絡情報ワークファイルの内容と一致するか否かの判断をおこなうことにより、受信した不達通知が、メールアドレスの変更に関する電子メールの不達を示すものであるか否かを判断する。
【００８４】
ここで一致した場合には、不達通知の中から不達となった電子メールのメールアドレスを抽出する。より具体的には、たとえば、不達通知における記号「＠」を検索し、その後に記述されている一連の文字列を相手先のメールアドレスとして抽出することとしてもよい。
【００８５】
つぎに、抽出されたメールアドレスにより、アドレス帳ＤＢ１０５から該当するレコードを検索し、そのレコードの管理ＩＤと電話番号を抽出する。そして、抽出された電話番号を宛先としてショートメッセージを作成する。ショートメッセージの内容は、図６に示す連絡情報ワークファイルの内容に、電子メールが不達となった旨を示すメッセージが追加されたものとなる。
【００８６】
具体的には、たとえば、予めＨＤ２０５などの記録媒体に記憶されている追加メッセージが読み出されて、連絡情報ワークファイルの内容に自動的に追加され、ショートメッセージの内容が作成される。
【００８７】
図５−３において、携帯電話端末１０１のディスプレイ２０８には作成されたショートメッセージが表示されている。具体的には、宛先として電話番号「０９０−２３４５−××××」が設定されている。また、送信メッセージとして、連絡情報ワークファイルの内容に、電子メールが不達となったため新しいメールアドレスを通知して欲しい旨のメッセージが追加されたメッセージが設定されている。
【００８８】
ショートメッセージが作成されると、つぎに、携帯電話端末１０１は作成されたショートメッセージを送信する。このとき、ショートメッセージの送信は自動的におこなわれてもよく、また、ショートメッセージを送信する旨の表示をディスプレイ２０８に表示し、送信するか否かをユーザに選択させるようにしてもよい。
【００８９】
ここで、ショートメッセージが送信されると、連絡状況管理ＤＢ１０６に設定されている管理ＩＤの連絡状況が更新される。このときの管理ＩＤは、電話番号とともに抽出された管理ＩＤである。具体的には、ショートメッセージが送信された場合には、ショートメッセージの連絡状況を示す欄に「連絡済み」と設定される（図７参照）。
【００９０】
ショートメッセージが送信された結果、その返信を受信した場合、新しいメールアドレスを抽出して、アドレス帳ＤＢ１０５における該当するレコードのメールアドレスとして記憶する。具体的には、返信されてきたショートメッセージから送信元の電話番号を特定するとともに、本文に記述されているメールアドレスを抽出する。
【００９１】
つぎに、特定された電話番号により、アドレス帳ＤＢ１０５から該当するレコードを検索して、検索されたレコードの管理ＩＤを抽出する。また、検索されたレコードの電話番号と抽出されたメールアドレスとを関連付ける。ここで、管理ＩＤが抽出されると、この管理ＩＤに関する連絡状況管理ＤＢ１０６に設定されている連絡状況が更新される。
【００９２】
具体的には、ショートメッセージが送信された結果、そのショートメッセージに対する返信があった場合、ショートメッセージの連絡状況を示す欄に「返信有」と設定され、返信がないものについては「返信未」と設定される（図７参照）。
【００９３】
連絡状況管理ＤＢ１０６の更新が終了すると、つぎに、抽出された新しいメールアドレスを該当するレコードのメールアドレスとして更新するか否かの選択を受け付ける。
【００９４】
図５−４において、携帯電話端末１０１のディスプレイ２０８にはアドレス帳の更新をおこなうか否かの選択画面が表示されている。具体的には、返信されてきたショートメッセージにより、アドレス帳の更新、すなわち、アドレス帳ＤＢ１０５の更新をおこなうか否かの選択画面が表示されている。
【００９５】
ユーザは、携帯電話端末１０１の操作パネル２１０を操作することにより、更新する「Ｙ」か否か「Ｎ」を選択する。具体的には、操作パネル２１０のキーを操作してディスプレイ２０８に表示されたカーソル５４０を移動させ、「Ｙ」または「Ｎ」を選択する。
【００９６】
ここで、「Ｙ」を選択した場合、アドレス帳ＤＢ１０５が更新されることとなる。具体的には、管理ＩＤ：００２のレコードのメールアドレスが「００２＠ｄｏｃｏ．ｎｅ．ｊｐ」から「００２＠ｅｚｏ．ｎｅ．ｊｐ」に更新されることとなる。
【００９７】
また、「Ｎ」を選択した場合、アドレス帳ＤＢ１０５は更新されない。なお、ここでは更新するか否かをユーザに選択させることとしたが、自動的に更新されるようにしてもよい。すなわち、返信があった場合には、アドレス帳ＤＢ１０５の更新が自動的におこなわれることとなる。
【００９８】
なお、ショートメッセージを送信してから、たとえば、一定期間返信がなかった場合には、その旨をユーザに通知する旨をディスプレイ２０８に表示することとしてもよい。図５−５において、携帯電話端末１０１のディスプレイ２０８にはショートメッセージに対する応答がない旨を示す状況通知が表示されている。
【００９９】
具体的には、氏名「○△」からの応答がない旨のメッセージが表示されている。この状況通知を確認することにより、ユーザは、ショートメッセージに対する応答がない相手先を認識することができ、連絡漏れやメールアドレスの更新漏れなどを防ぐことができる。
【０１００】
（携帯電話端末１０２のディスプレイ２０８に表示される画面例）
つぎに、相手先の携帯電話端末１０２のディスプレイ２０８に表示される画面例について説明する。図８−１および図８−２は、携帯電話端末１０２に表示される表示画面の一例を示す説明図である。
【０１０１】
図８−１において、携帯電話端末１０２のディスプレイ２０８には受信したショートメッセージ（図５−３参照）に対する返信をおこなうか否かの選択画面が表示されている。ここで、「Ｙ」を選択した場合、現行のメールアドレスを含むショートメッセージが自動的に作成されて送信されることとなる。
【０１０２】
また、「Ｎ」を選択した場合、送信されることはない。なお、ショートメッセージ（図５−３参照）に対する返信を自動的におこなうようにしてもよい。この場合、メールアドレスの送信要求を示すショートメッセージを受信した場合には、自動的に、現行のメールアドレスを含むショートメッセージが送信されることとなる。
【０１０３】
ここで、現行のメールアドレスを含むショートメッセージについて説明する。図８−２において、携帯電話端末１０２のディスプレイ２０８には現行のメールアドレスを含むショートメッセージが表示されている。図８−１で示す選択画面で「Ｙ」が選択された場合には、図８−２に示すショートメッセージが自動的に作成されて送信される。
【０１０４】
具体的には、たとえば、予めＨＤ２０５などの記録媒体に記録されているメッセージ（現行のメールアドレスを通知するメッセージ）を読み出して、ショートメッセージの本文に設定することとしてもよい。
【０１０５】
＜携帯電話端末１０１のアドレス管理処理手順＞
つぎに、この発明の実施の形態にかかる携帯電話端末１０１において実行されるアドレス管理処理の手順について説明する。
【０１０６】
（連絡情報送信処理の手順）
まず、携帯電話端末１０１において実行される連絡情報送信処理の手順について説明する。図９は、この発明の実施の形態にかかる携帯電話端末１０１において実行される連絡情報送信処理の手順を示すフローチャートである。
【０１０７】
図９において、携帯電話端末１０１は、まず、連絡情報の入力を受け付けたか否かを判断する（ステップＳ９０１）。具体的には、連絡情報送信に関するユーザからの指示入力を受け付けた場合に、連絡情報の入力を受け付けたか否を判断する。
【０１０８】
ここで、連絡情報が入力されるのを待って、入力された場合（ステップＳ９０１：Ｙｅｓ）、入力された連絡情報を連絡情報ワークファイルに設定する（ステップＳ９０２）。つぎに、連絡情報の相手先のレコードの指定入力を受け付けたか否かを判断する（ステップＳ９０３）。
【０１０９】
ここで、レコードの指定入力を受け付けるのを待って、受け付けた場合（ステップＳ９０３：Ｙｅｓ）、抽出部４０２により、アドレス帳ＤＢ１０５からレコードが指定された相手先の管理ＩＤとメールアドレスとを抽出する（ステップＳ９０４）。
【０１１０】
そして、抽出した管理ＩＤを連絡状況管理ＤＢ１０６に設定する（ステップＳ９０５）。つぎに、ステップＳ９０２において連絡情報ワークファイルに設定された連絡情報を本文とする電子メールを、ステップＳ９０４において抽出されたすべてのメールアドレスを宛先として作成する（ステップＳ９０６）。
【０１１１】
そして、送信部４０３により、作成された電子メールを送信する（ステップＳ９０７）。最後に、連絡状況管理ＤＢ１０６を更新して（ステップＳ９０８）、本フローチャートによる一連の処理を終了する。具体的には、連絡状況管理ＤＢにおける電子メールの連絡状況を示す欄に「連絡済み」と設定する。
【０１１２】
これにより、メールアドレス変更時などの同一内容の電子メールを複数の相手に送信する場合に、ひとりひとりに電子メールを作成する必要がない。このため、電子メールの作成にかかるユーザの煩わしい作業を低減することができ、利便性の向上を図ることができる。
【０１１３】
また、相手先の管理ＩＤを連絡状況管理ＤＢ１０６に設定することにより、相手先とのその後の連絡状況を管理することができる。
【０１１４】
（ショートメッセージ送信処理の手順）
つぎに、携帯電話端末１０１において実行されるショートメッセージ送信処理の手順について説明する。図１０は、この発明の実施の形態にかかる携帯電話端末１０１において実行されるショートメッセージ送信処理の手順を示すフローチャートである。
【０１１５】
図１０において、携帯電話端末１０１は、まず、電子メールのメールアドレスが存在しないことにより、当該電子メールが不達となったことを示す不達通知を受信したか否かを判断する（ステップＳ１００１）。具体的には、たとえば、図５−２に示す不達通知を受信したか否かを判断する。
【０１１６】
ここで、不達通知を受信するのを待って、受信した場合（ステップＳ１００１：Ｙｅｓ）、不達通知の内容が連絡情報ワークファイルの内容と一致するか否かを判断する（ステップＳ１００２）。一致する場合（ステップＳ１００２：Ｙｅｓ）、抽出部４０２により、不達通知の中から不達となった電子メールのメールアドレスを抽出する（ステップＳ１００３）。一致しない場合（ステップＳ１００２：Ｎｏ）、本フローチャートによる一連の処理を終了する。
【０１１７】
そして、抽出されたメールアドレスにより、アドレス帳ＤＢ１０５から該当するレコードを検索し（ステップＳ１００４）、抽出部４０２により、検索されたレコードのアドレス情報から管理ＩＤと電話番号を抽出する（ステップＳ１００５）。
【０１１８】
つぎに、抽出された電話番号を宛先とするショートメッセージを作成し（ステップＳ１００６）、送信部４０３により、作成したショートメッセージを送信する（ステップＳ１００７）。具体的には、たとえば、図５−３に示すショートメッセージを送信する。
【０１１９】
最後に、連絡状況管理ＤＢ１０６を更新して（ステップＳ１００８）、本フローチャートによる一連の処理を終了する。具体的には、ステップＳ１００５において検出された管理ＩＤの電子メールの連絡状況を示す欄に「不達」と設定するとともに、ショートメッセージの連絡状況を示す欄に「連絡済み（返信未）」と設定する。
【０１２０】
なお、ステップＳ１００５において管理ＩＤが抽出されたあとに、電子メールの連絡状況を示す欄に「不達」と設定する処理をおこなうこととしてもよい。この場合、ショートメッセージが送信された後に、ショートメッセージの連絡状況を示す欄に「連絡済み（返信未）」と設定する処理がおこなわれる。
【０１２１】
これにより、電子メールのメールアドレスが存在しないことにより、当該電子メールが不達となった場合であっても、相手先に連絡したい情報を、ショートメッセージサービスを利用したショートメッセージによって相手先に送信することができる。
【０１２２】
さらに、電子メールが不達となった場合には、自動的にショートメッセージが送信されることとなるため、ショートメッセージ作成にかかるユーザの煩わしい作業を必要とせず、利便性の向上を図ることができる。
【０１２３】
（アドレス更新処理の手順）
つぎに、携帯電話端末１０１において実行されるアドレス更新処理の手順について説明する。図１１は、この発明の実施の形態にかかる携帯電話端末１０１において実行されるアドレス更新処理の手順を示すフローチャートである。
【０１２４】
図１１において、携帯電話端末１０１は、まず、メールアドレスを通知するショートメッセージを受信したか否かを判断する（ステップＳ１１０１）。具体的には、たとえば、図１０に示すステップＳ１００７において送信されたショートメッセージの宛先である電話番号を送信元とするショートメッセージを受信した場合に、メールアドレスを通知するショートメッセージを受信したと判断する。
【０１２５】
ここで、ショートメッセージを受信するのを待って、受信した場合（ステップＳ１１０１：Ｙｅｓ）、検出部４０５により、ショートメッセージから電話番号とメールアドレスとを検出する（ステップＳ１１０２）。つぎに、検出された電話番号により、アドレス帳ＤＢ１０５から該当するレコードを検索し（ステップＳ１１０３）、検出部４０５により、検索されたレコードのアドレス情報から管理ＩＤを検出する（ステップＳ１１０４）。
【０１２６】
そして、連絡状況管理ＤＢ１０６を更新する（ステップＳ１１０５）。具体的には、抽出された管理ＩＤのショートメッセージの連絡状況を示す欄に「連絡済み（返信有）」と設定する。
【０１２７】
つぎに、アドレス帳ＤＢ１０５を更新するか否かを判断する（ステップＳ１１０６）。具体的には、たとえば、図５−４に示す選択画面がディスプレイ２０８に表示され、操作パネル２１０によるユーザの選択入力を受け付ける。
【０１２８】
ここで、アドレス帳ＤＢ１０５を更新する場合（ステップＳ１１０６：Ｙｅｓ）、ステップＳ１１０２において検出されたメールアドレスを新しいメールアドレスとしてアドレス帳ＤＢ１０５を更新して（ステップＳ１１０７）、本フローチャートによる一連の処理を終了する。一方、アドレス帳ＤＢ１０５を更新しない場合（ステップＳ１１０６：Ｎｏ）は、一連の処理を終了する。
【０１２９】
これにより、新しいメールアドレスが送信されてくると、その都度、自動的にアドレス帳ＤＢ１０５の内容を更新することができる。このため、アドレス帳ＤＢ１０５の更新作業にかかるユーザの煩わしい作業を低減することができ、利便性の向上を図ることができる。
【０１３０】
（状況通知表示処理の手順）
つぎに、携帯電話端末１０１において実行される状況通知表示処理の手順について説明する。図１２は、この発明の実施の形態にかかる携帯電話端末１０１において実行される状況通知表示処理の手順を示すフローチャートである。
【０１３１】
図１２において、携帯電話端末１０１は、まず、状況通知の表示指示を受け付けたか否かを判断する（ステップＳ１２０１）。具体的には、たとえば、状況通知に関するユーザからの指示入力を受け付けてもよく、また、一定期間ごとに状況通知の表示指示が自動的に入力されることとしてもよい。
【０１３２】
ここで、状況通知の表示指示を受け付けるのを待って、受け付けた場合（ステップＳ１２０１：Ｙｅｓ）、連絡状況管理ＤＢ１０６の電子メールの連絡状況を示す欄が「不達」かつ、ショートメッセージの連絡状況を示す欄が「連絡済み（返信未）」のレコードがあるか否かを判断する（ステップＳ１２０２）。
【０１３３】
「不達」かつ「連絡済み（返信未）」のレコードがあった場合（ステップＳ１２０２：Ｙｅｓ）、抽出部４０２により、このレコードの管理ＩＤを抽出する（ステップＳ１２０３）。そして、抽出部４０２により、この管理ＩＤに該当するアドレス情報をアドレス帳ＤＢ１０５から抽出して、連絡が不十分であることを示す状況通知を表示して（ステップＳ１２０４）、本フローチャートによる一連の処理を終了する。
【０１３４】
具体的には、たとえば、連絡が不十分であることを示す状況通知として、図５−５に示す状況通知が表示される。一方、ステップＳ１２０２において、「不達」かつ「連絡済み（返信未）」のレコードがなかった場合（ステップＳ１２０２：Ｎｏ）、一連の処理を終了する。
【０１３５】
これにより、ショートメッセージに対する応答が無い相手先を報知することができる。このため、ショートメッセージにより連絡したい情報は通知したが、相手がその内容を確認し忘れていることなどによる通知漏れを防ぐことができる。
【０１３６】
さらに、応答が無い相手は、すなわち、現行のメールアドレスを知らない相手であるため、応答の無い相手を知ることにより、メールアドレスの聞き忘れを防ぐことができる。
【０１３７】
＜携帯電話端末１０２のショートメッセージ送信処理＞
つぎに、携帯電話端末１０２において実行されるショートメッセージ送信処理の手順について説明する。図１３は、この発明の実施の形態にかかる携帯電話端末１０２において実行されるショートメッセージ送信処理の手順を示すフローチャートである。
【０１３８】
図１３において、携帯電話端末１０２は、まず、ショートメッセージを受信したか否かを判断する（ステップＳ１３０１）。ここで、ショートメッセージを受信するのを待って、受信した場合（ステップＳ１３０１：Ｙｅｓ）、受信されたショートメッセージに特定の文字列が含まれているか否かを判断する（ステップＳ１３０２）。
【０１３９】
特定の文字列は任意に設定可能であり、たとえば、『新しいメールアドレスを教えてください。』などの文字列であってもよい。ステップＳ１３０２において、特定の文字列が含まれている場合（ステップＳ１３０２：Ｙｅｓ）、返信するか否かを判断する（ステップＳ１３０３）。具体的には、図８−１に示す選択画面がディスプレイ２０８に表示され、操作パネル２１０によるユーザの選択入力を受け付ける。
【０１４０】
ここで、返信する場合（ステップＳ１３０３：Ｙｅｓ）、ステップＳ１３０１において受信されたショートメッセージの送信元の電話番号を宛先とするショートメッセージを作成し（ステップＳ１３０４）、送信部４０３により、作成したショートメッセージを送信して（ステップＳ１３０５）、本フローチャートによる一連の処理を終了する。具体的には、たとえば、図８−２に示すショートメッセージが送信される。
【０１４１】
また、ステップＳ１３０２において、特定の文字列が含まれていない場合（ステップＳ１３０２：Ｎｏ）、一連の処理を終了する。さらに、ステップＳ１３０３において、返信しない場合（ステップＳ１３０３：Ｎｏ）、一連の処理を終了する。
【０１４２】
これにより、メールアドレスを通知して欲しい旨の送信要求があった場合に、自分のメールアドレスを通知するショートメッセージの作成にかかるユーザの煩わしい作業を低減することができ、利便性の向上を図ることができる。
【０１４３】
以上説明したように、この発明にかかるアドレス管理プログラム、該プログラムを記録した記録媒体、アドレス管理方法および携帯電話端末によれば、情報の到達性を高めることにより情報の伝達漏れを低減することができるとともにユーザの利便性の向上を図ることができる。
【０１４４】
なお、本実施の形態で説明したアドレス管理方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【０１４５】
（付記１）携帯電話端末から他の携帯電話端末に電子メールが送信された結果、当該電子メールのメールアドレスが存在しないことにより、前記電子メールの不達に関する電子メールを受信させる受信工程と、
前記受信工程によって前記不達に関する電子メールが受信された場合、前記メールアドレスと関連付けられた電話番号を、メールアドレスと電話番号とを関連付けて記録するアドレスデータ群の中から抽出させる抽出工程と、
ショートメッセージサービスにより、前記抽出工程によって抽出された電話番号を宛先とするショートメッセージを前記他の携帯電話端末に送信させる送信工程と、
をコンピュータに実行させることを特徴とするアドレス管理プログラム。
【０１４６】
（付記２）前記送信工程は、
前記他の携帯電話端末の現行のメールアドレスの送信要求を示すショートメッセージを送信させることを特徴とする付記１に記載のアドレス管理プログラム。
【０１４７】
（付記３）前記不達となった電子メールのメールアドレスを前記アドレスデータ群の中から削除させる削除工程を前記コンピュータに実行させることを特徴とする付記２に記載のアドレス管理プログラム。
【０１４８】
（付記４）前記送信工程によって前記ショートメッセージが送信された結果、前記ショートメッセージサービスにより、前記他の携帯電話端末からショートメッセージを受信させるショートメッセージ受信工程と、
前記ショートメッセージ受信工程によって受信されたショートメッセージの送信元の電話番号を前記アドレスデータ群の中から検出させる検出工程と、
前記検出工程によって検出された電話番号と、前記他の携帯電話端末からのショートメッセージに記述されているメールアドレスとを関連付けさせる関連付け工程と、
を前記コンピュータに実行させることを特徴とする付記１〜３のいずれか一つに記載のアドレス管理プログラム。
【０１４９】
（付記５）前記ショートメッセージ受信工程は、
前記他の携帯電話端末から当該他の携帯電話端末の現行のメールアドレスを示すショートメッセージを受信させることを特徴とする付記４に記載のアドレス管理プログラム。
【０１５０】
（付記６）付記１〜５のいずれか一つに記載のアドレス管理プログラムを記録した前記コンピュータに読み取り可能な記録媒体。
【０１５１】
（付記７）携帯電話端末から他の携帯電話端末に電子メールが送信された結果、当該電子メールのメールアドレスが存在しないことにより、前記電子メールの不達に関する電子メールを受信する受信工程と、
前記受信工程によって前記不達に関する電子メールが受信された場合、前記メールアドレスと関連付けられた電話番号を、メールアドレスと電話番号とを関連付けて記録するアドレスデータ群の中から抽出する抽出工程と、
ショートメッセージサービスにより、前記抽出工程によって抽出された電話番号を宛先とするショートメッセージを前記他の携帯電話端末に送信する送信工程と、
を含んだことを特徴とするアドレス管理方法。
【０１５２】
（付記８）前記送信工程は、
前記他の携帯電話端末の現行のメールアドレスの送信要求を示すショートメッセージを送信させることを特徴とする付記７に記載のアドレス管理プログラム。
【０１５３】
（付記９）前記送信工程によって前記ショートメッセージが送信された結果、前記ショートメッセージサービスにより、前記他の携帯電話端末からショートメッセージを受信するショートメッセージ受信工程と、
前記ショートメッセージ受信工程によって受信されたショートメッセージの送信元の電話番号を前記アドレスデータ群の中から検出する検出工程と、
前記検出工程によって検出された電話番号と、前記他の携帯電話端末からのショートメッセージに記述されているメールアドレスとを関連付ける関連付け工程と、
を含んだことを特徴とする付記７または８に記載のアドレス管理方法。
【０１５４】
（付記１０）他の携帯電話端末に電子メールが送信された結果、当該電子メールのメールアドレスが存在しないことにより、前記電子メールの不達に関する電子メールを受信する受信手段と、
前記受信手段によって前記不達に関する電子メールが受信された場合、前記メールアドレスと関連付けられた電話番号を、メールアドレスと電話番号とを関連付けて記録するアドレスデータ群の中から抽出する抽出手段と、
ショートメッセージサービスにより、前記抽出手段によって抽出された電話番号を宛先とするショートメッセージを前記他の携帯電話端末に送信する送信手段と、
を備えることを特徴とする携帯電話端末。
【０１５５】
（付記１１）前記送信手段は、
前記他の携帯電話端末の現行のメールアドレスの送信要求を示すショートメッセージを送信することを特徴とする付記１０に記載の携帯電話端末。
【０１５６】
（付記１２）前記受信手段は、
前記送信手段によって前記ショートメッセージが送信された結果、前記ショートメッセージサービスにより、前記他の携帯電話端末からショートメッセージを受信し、
前記受信手段によって受信されたショートメッセージの送信元の電話番号を前記アドレスデータ群の中から検出する検出手段と、
前記検出手段によって検出された電話番号と、前記他の携帯電話端末からのショートメッセージに記述されているメールアドレスとを関連付ける関連付け手段と、
を備えることを特徴とする付記１０または１１に記載の携帯電話端末。
【産業上の利用可能性】
【０１５７】
以上のように、本発明にかかるアドレス管理プログラム、該プログラムを記録した記録媒体、アドレス管理方法および携帯電話端末は、同一内容の電子メールを複数の相手先に送信する場合に有用であり、特に、メールアドレス変更時に新しいメールアドレスを複数の相手先に通知する場合に適している。
【図面の簡単な説明】
【０１５８】
【図１】この発明の実施の形態にかかるデータ通信システムの概略構成を示す説明図である。
【図２】携帯電話端末のハードウェア構成を示すブロック図である。
【図３】アドレス帳ＤＢのデータ構造の一例を示す説明図である。
【図４】この発明の実施の形態にかかる携帯電話端末の機能的構成を示すブロック図である。
【図５−１】携帯電話端末に表示される表示画面の一例を示す説明図である（その１）。
【図５−２】携帯電話端末に表示される表示画面の一例を示す説明図である（その２）。
【図５−３】携帯電話端末に表示される表示画面の一例を示す説明図である（その３）。
【図５−４】携帯電話端末に表示される表示画面の一例を示す説明図である（その４）。
【図５−５】携帯電話端末に表示される表示画面の一例を示す説明図である（その５）。
【図６】連絡情報ワークファイルの一例を示す説明図である。
【図７】連絡状況管理ＤＢのデータ構造の一例を示す説明図である。
【図８−１】携帯電話端末に表示される表示画面の一例を示す説明図である（その１）。
【図８−２】携帯電話端末に表示される表示画面の一例を示す説明図である（その２）。
【図９】この発明の実施の形態にかかる携帯電話端末において実行される連絡情報送信処理の手順を示すフローチャートである。
【図１０】この発明の実施の形態にかかる携帯電話端末において実行されるショートメッセージ送信処理の手順を示すフローチャートである。
【図１１】この発明の実施の形態にかかる携帯電話端末において実行されるアドレス更新処理の手順を示すフローチャートである。
【図１２】この発明の実施の形態にかかる携帯電話端末において実行される状況通知表示処理の手順を示すフローチャートである。
【図１３】この発明の実施の形態にかかる携帯電話端末において実行されるショートメッセージ送信処理の手順を示すフローチャートである。
【符号の説明】
【０１５９】
１００  データ通信システム
１０１，１０２  携帯電話端末
１０３  電子メールサーバ
１０４  ショートメッセージサーバ
１０５  アドレス帳ＤＢ
１０６  連絡状況管理ＤＢ
１１０  ネットワーク
４０１  受信部
４０２  抽出部
４０３  送信部
４０４  削除部
４０５  検出部
４０６  関連付け部
【図１】
2008153968.tif 000003
【図２】
2008153968.tif 000004
【図３】
2008153968.tif 000005
【図４】
2008153968.tif 000006
【図５−１】
2008153968.tif 000007
【図５−２】
2008153968.tif 000008
【図５−３】
2008153968.tif 000009
【図５−４】
2008153968.tif 000010
【図５−５】
2008153968.tif 000011
【図６】
2008153968.tif 000012
【図７】
2008153968.tif 000013
【図８−１】
2008153968.tif 000014
【図８−２】
2008153968.tif 000015
【図９】
2008153968.tif 000016
【図１０】
2008153968.tif 000017
【図１１】
2008153968.tif 000018
【図１２】
2008153968.tif 000019
【図１３】
2008153968.tif 000020